(57)【要約】【課題】  シリンダ内に収容された液体中に混入した異物を効率よく回収できる緩衝器を提供する。【解決手段】  内部に液体が収容される液室Ｌが形成されるシリンダ１と、液室Ｌ内の液体を撹拌するスクリュー５と、液室Ｌ内に設けられ、スクリュー５の回転軸線上に配置される第一磁石６Ａ及び第二磁石６Ｂとを備える。【選択図】  図１
2018044655.tif 000002
【特許請求の範囲】
【請求項１】
内部に液体が収容される液室が形成されるシリンダと、
前記液室内の液体を撹拌するスクリューと、
前記液室内に設けられ、前記スクリューの回転軸線上に配置される一又は複数の磁石とを備える
ことを特徴とする緩衝器。
【請求項２】
前記シリンダ内に移動可能に挿入されるピストンと、
一端側が前記ピストンに連結されて他端側が前記シリンダ外へ突出するロッドとを備え、
前記液室は、前記ピストンでロッド側のロッド側室と、反ロッド側のピストン側室とに区画されており、
前記スクリューは、前記ピストン側室内の液体を撹拌し、
前記磁石は、前記ピストン側室内に設けられている
ことを特徴とする請求項１に記載の緩衝器。
【請求項３】
前記スクリューは、前記ロッドの軸回りに回転する
ことを特徴とする請求項２に記載の緩衝器。
【請求項４】
前記磁石は、二つ設けられ、
前記二つの磁石のうちの一方の磁石が前記スクリューに連結される第一磁石であり、
前記二つの磁石のうちの他方の磁石が収縮作動時に前記第一磁石に接近する第二磁石であり、
前記第一磁石と前記第二磁石は、互いに引き合うように配置されている
ことを特徴とする請求項１から３の何れか一項に記載の緩衝器。
【発明の詳細な説明】
【技術分野】
【０００１】
本発明は、緩衝器に関する。
【背景技術】
【０００２】
緩衝器の中には、作動油等の液体を利用して減衰力を発揮する液圧緩衝器がある。このような緩衝器は、液体を収容するシリンダと、シリンダ内を二つの部屋に区画するピストンと、二つの部屋に連通される通路と、通路を開閉するバルブとを備える。そして、緩衝器の伸縮時に、通路を通過する液体の流れにバルブで抵抗を与えて、緩衝器の伸縮作動を妨げる減衰力を得る。
【０００３】
上記緩衝器において、液体中に混入した金属粉等の異物がバルブに噛み込まれると、当該部分でバルブが閉じ切らず、液体の漏れが生じたり、異音が生じたりする場合がある。このため、緩衝器の中には、ピストン等に凹部を設け、当該凹部によって形成した異物溜りに異物を回収するものがある（例えば、特許文献１）。
【先行技術文献】
【特許文献】
【０００４】
【特許文献１】特開２００５−７６８５６号公報
【発明の概要】
【発明が解決しようとする課題】
【０００５】
従来の緩衝器において、異物溜りは、ピストン等のバルブディスク、又はシリンダ内に気室を形成するフリーピストン等に設けられ、開口を上側へ向けている。バルブディスクには、二つの部屋を連通する通路が形成されるとともに、通路を開閉するリーフバルブ等のバルブが積層されている。そして、バルブディスクの下側の液体がバルブを開き、通路を通過して上側へ移動する際に、液体中の異物が異物溜りに落下すると、当該異物が異物溜りに捕集される。また、緩衝器がフリーピストンを備え、当該フリーピストンに異物溜りが設けられる場合には、フリーピストンに面する部屋に収容された液体中の異物が異物溜りに落下すると、当該異物が異物溜りに捕集される。
【０００６】
しかしながら、上記構成では異物の回収効率が悪く、異物を回収するのに時間がかかる。なぜなら、上記構成によれば、異物が異物溜りの開口上を通るタイミングで落下しなければ異物溜りに捕集されないので、異物が異物溜りの開口からずれた位置に落下した場合には、一旦落下した異物が再び液体中を漂って異物溜りの開口から異物溜り内に捕集されるのを待つしかないためである。さらに、上記構成では、バルブの開閉時、又はフリーピストンの摺動時等に異物が異物溜りから流出する虞もある。
【０００７】
そこで、本願発明は、液体中に混入した異物を効率よく回収できる緩衝器の提供を目的とする。
【課題を解決するための手段】
【０００８】
上記課題を解決する請求項１に記載の緩衝器は、シリンダ内に形成された液室内の液体を撹拌するスクリューと、記液室内に設けられ、前記スクリューの回転軸線上に配置される一又は複数の磁石とを備える。このため、スクリューの回転により液室内に渦を形成し、渦の中心側へ集まる異物を磁石で吸着することで、液体中の異物を回収できる。
【０００９】
請求項２に記載の緩衝器は、請求項１に記載の構成を備えるとともに、前記シリンダ内に移動可能に挿入されるピストンと、一端側が前記ピストンに連結されて他端側が前記シリンダ外へ突出するロッドとを備える。そして、前記液室は、前記ピストンでロッド側のロッド側室と、反ロッド側のピストン側室とに区画されている。また、前記スクリューは、前記ピストン側室内の液体を撹拌し、前記磁石は、前記ピストン側室内に設けられている。このため、渦によって集められた異物がロッドに付着するのを防止して、ロッドに付着した異物によりシールが傷付くのを防止できる。
【００１０】
請求項３に記載の緩衝器では、請求項２に記載の構成を備えるとともに、前記スクリューが前記ロッドの軸回りに回転する。当該構成によれば、異物がシリンダの中心部に集まるので、バルブに異物が噛み込まれるのを一層抑制できる。
【００１１】
請求項４に記載の緩衝器では、請求項１から３の何れか一項に記載の構成を備えるとともに、前記磁石が二つ設けられている。前記二つの磁石のうちの一方の磁石が前記スクリューに連結される第一磁石である。また、前記二つの磁石のうちの他方の磁石が収縮作動時に前記第一磁石に接近する第二磁石である。そして、前記第一磁石と前記第二磁石が互いに引き合うように配置されている。このため、緩衝器の収縮量が大きくなった場合に、ロッド反力が過大になるのを防止できる。
【発明の効果】
【００１２】
本発明の緩衝器によれば、液体中に混入した異物を効率よく回収できる。
【図面の簡単な説明】
【００１３】
【図１】本発明の第一の実施の形態に係る緩衝器の縦断面図である。
【図２】本発明の第一の実施の形態に係る緩衝器の伸長時の作動を説明する説明図である。
【図３】本発明の第二の実施の形態に係る緩衝器の縦断面図である。
【発明を実施するための形態】
【００１４】
以下に本発明の実施の形態について、図面を参照しながら説明する。いくつかの図面を通して付された同じ符号は、同じ部品か対応する部品を示す。
【００１５】
＜第一の実施の形態＞
図１に示す本発明の第一の実施の形態に係る緩衝器Ａ１は、四輪自動車等の車両の車体と車輪との間に介装されている。緩衝器Ａ１は、シリンダ１と、シリンダ１内に摺動可能に挿入されるピストン２と、図１中下端部がピストン２に連結されて上側がシリンダ１外へ突出するロッド３と、シリンダ１の図１中上端部に固定されてロッド３を摺動自在に軸支するロッドガイド１０と、シリンダ１の図１中下端部に取り付けられるベース部材４と、シリンダ１の外周に設けられる外筒１１と、ロッド３に回転可能に取り付けられるスクリュー５と、スクリュー５の回転軸線Ｘ（図２）上に配置される第一磁石６Ａと、第二磁石６Ｂとを備える。
【００１６】
また、図示しないが、ロッド３の図１中上端部と、外筒１１の底部１１ａには、それぞれ取付部材が固定されており、ロッド３が当該ロッド３に固定された取付部材を介して車体に連結され、シリンダ１が底部１１ａに固定された取付部材を介して車軸に連結される。そして、車両が凹凸のある路面を走行する場合等、車両走行時に車輪が車体に対して上下に移動すると、ロッド３がシリンダ１に出入りして緩衝器Ａ１が伸縮する。なお、緩衝器Ａ１の用途は自動車に限られず、構造物の制振用等に利用されるとしてもよい。
【００１７】
シリンダ１内には、作動油等の液体が収容される液室Ｌが形成されている。当該液室Ｌは、ピストン２で図１中上側のロッド側室Ｌ１と、図１中下側のピストン側室Ｌ２とに区画される。その一方、シリンダ１外には、外筒１１との間に、液体が貯留される液溜室Ｌ３と、当該液溜室Ｌ３の液面上方に形成されて気体が封入される気室Ｇ１が形成されている。そして、シリンダ１と外筒１１とを有して、内部に液溜室Ｌ３と気室Ｇ１を有するリザーバＲが構成される。リザーバＲ内は、ベース部材４の後述する通路（吸込通路４０、減衰通路４１）を通じてシリンダ１内に連通されている。また、リザーバＲ内の圧力は、大気圧よりも高く設定されており、シリンダ１内の圧力が負圧になるのを防止する。
【００１８】
つづいて、ピストン２には、ロッド側室Ｌ１とピストン側室Ｌ２とを連通する伸側通路２０と圧側通路２１が形成されるとともに、図１中下側に伸側バルブ２２が積層され、図１中上側に圧側バルブ２３が積層されている。伸側通路２０の入口は、常にロッド側室Ｌ１に連通される一方、伸側通路２０の出口は、伸側バルブ２２で開閉される。また、圧側通路２１の入口は、常にピストン側室Ｌ２に連通される一方、圧側通路２１の出口は、圧側バルブ２３で開閉される。
【００１９】
より詳しくは、伸側バルブ２２と圧側バルブ２３は、積層された複数枚のリーフバルブを有して構成されている。そして、伸側バルブ２２と圧側バルブ２３は、ロッド３の先端部外周に螺合するナット３０により、外周側の撓みが許容された状態で内周部をピストン２とともにロッド３に固定される。
【００２０】
伸側バルブ２２の外周部は、ピストン２に形成されて、伸側通路２０の出口を囲う弁座（符示せず）に離着座可能となっている。図１に示すように、伸側バルブ２２の外周部が弁座に着座した状態では、伸側バルブ２２が伸側通路２０の出口を塞ぐ。また、伸側バルブ２２には、ロッド側室Ｌ１内の圧力が開弁方向に作用する。そして、ロッド側室Ｌ１の圧力を受けて伸側バルブ２２の外周部が図１中下方へ撓むと、伸側バルブ２２が伸側通路２０を開放する。
【００２１】
同様に、圧側バルブ２３の外周部は、ピストン２に形成されて、圧側通路２１の出口を囲う弁座（符示せず）に離着座可能となっている。図１に示すように、圧側バルブ２３の外周部が弁座に着座した状態では、圧側バルブ２３が圧側通路２１の出口を塞ぐ。また、圧側バルブ２３には、ピストン側室Ｌ２内の圧力が開弁方向に作用する。そして、ピストン側室Ｌ２の圧力を受けて圧側バルブ２３の外周部が図１中上方へ撓むと、圧側バルブ２３が圧側通路２１を開放する。
【００２２】
つづいて、ベース部材４は、ピストン側室Ｌ２と液溜室Ｌ３とを区画する隔壁部を有するとともに、外筒１１の底部１１ａに押し付けられた状態でシリンダ１の図１中下端部に固定される。ベース部材４の隔壁部には、ピストン側室Ｌ２と液溜室Ｌ３とを連通する吸込通路４０と減衰通路４１が形成されるとともに、図１中上側に吸込バルブ４２が積層され、図１中下側に減衰バルブ４３が積層されている。吸込通路４０の入口は、常に液溜室Ｌ３に連通される一方、吸込通路４０の出口は、吸込バルブ４２で開閉される。また、減衰通路４１の入口は、常にピストン側室Ｌ２に連通される一方、減衰通路４１の出口は、減衰バルブ４３で開閉される。
【００２３】
より詳しくは、吸込バルブ４２と減衰バルブ４３は積層された複数枚のリーフバルブを有して構成されている。そして、吸込バルブ４２と減衰バルブ４３は、ベース部材４の中心部を貫通する取付軸７の先端部外周に螺合されるナット７０により、外周側の撓みが許容された状態で内周部をベース部材４とともに取付軸７に固定される。
【００２４】
吸込バルブ４２の外周部は、ベース部材４に形成されて、吸込通路４０の出口を囲う弁座（符示せず）に離着座可能となっている。図１に示すように、吸込バルブ４２の外周部が弁座に着座した状態では、吸込バルブ４２が吸込通路４０の出口を塞ぐ。また、吸込バルブ４２には、リザーバＲ内の圧力が開弁方向に作用する。そして、ピストン側室Ｌ２内の圧力がリザーバＲ内の圧力よりも低くなると、吸込バルブ４２の外周部が図１中上方へ撓み、吸込バルブ４２が吸込通路４０を開放する。
【００２５】
また、減衰バルブ４３の外周部は、ベース部材４に形成されて、減衰通路４１の出口を囲う弁座（符示せず）に離着座可能となっている。図１に示すように、減衰バルブ４３の外周部が弁座に着座した状態では、減衰バルブ４３が減衰通路４１の出口を塞ぐ。また、減衰バルブ４３には、ピストン側室Ｌ２の圧力が開弁方向に作用する。そして、ピストン側室Ｌ２の圧力を受けて減衰バルブ４３の外周部が図１中下方へ撓むと、減衰バルブ４３が減衰通路４１を開放する。
【００２６】
図示しないが、緩衝器Ａ１では、伸側通路２０、圧側通路２１、吸込通路４０、及び減衰通路４１がそれぞれ複数設けられて、ピストン２又はベース部材４の周方向に並び、各通路の出口を環状の弁座で一体的に取り囲むになっている。しかし、各通路の出口を弁座で個別に囲むとしてもよく、弁座、伸側通路２０、圧側通路２１、吸込通路４０、及び減衰通路４１の形状は適宜変更できる。
【００２７】
また、緩衝器Ａ１では、伸側バルブ２２、圧側バルブ２３、吸込バルブ４２、及び減衰バルブ４３がともにリーフバルブである。リーフバルブは薄い環状板であるので、上記構成によれば緩衝器Ａ１が軸方向に嵩張るのを防止できる。しかし、伸側バルブ２２、圧側バルブ２３、吸込バルブ４２、及び減衰バルブ４３は、例えば、オリフィス、ポペット弁等のリーフバルブ以外のバルブでもよく、各バルブの構成は適宜変更できる。
【００２８】
さらに、緩衝器Ａ１では、伸側バルブ２２と減衰バルブ４３が減衰力発生要素であり、通路（伸側通路２０、減衰通路４１）を流れる液体の流れに抵抗を与えるとともに、通路の流れを一方向に制限する。その一方、圧側バルブ２３と吸込バルブがチェックバルブであり、通路（圧側通路２１、吸込通路４０）の流れを一方向に制限する。しかし、例えば、圧側バルブ２３を減衰力発生要素として機能させ、圧側通路２１を移動する液体の流れに抵抗を与えるとしてもよい。このように、所望の減衰力の特性に合わせて各通路を移動する液体の流れに抵抗を与えたり、液体の流れる方向を制限したりできる。
【００２９】
つづいて、ロッド３に回転可能に取り付けられるスクリュー５は、ピストン側室Ｌ２内に配置される複数枚のブレード（羽根）５０と、ブレード５０を支持するシャフト５１とを有する。シャフト５１は、末端側がロッド３に回転自在に支持されるとともに、先端部がロッド３の図１中下端から下方へ突出している。そして、ロッド３から突出するシャフト５１の先端部外周にブレード５０が取り付けられており、ブレード５０が液体の流れを受けると、スクリュー５がシャフト５１の軸回りに回転する。
【００３０】
緩衝器Ａ１では、シャフト５１がロッド３と同軸に設けられ、シリンダ１及びロッド３の中心を通る緩衝器Ａ１の軸心線上にスクリュー５のシャフト５１が配置される。つまり、スクリュー５の回転軸を通る直線を回転軸線Ｘ（図２）とすると、当該回転軸線Ｘがシリンダ１及びロッド３の中心部を通る。
【００３１】
また、ピストン側室Ｌ２内であって、回転軸線Ｘ上に、第一磁石６Ａと第二磁石６Ｂが設けられており、これら第一磁石６Ａと第二磁石６Ｂも緩衝器Ａ１の軸心線上に位置する。さらに、第一磁石６Ａはシャフト５１の先端に連結されており、第二磁石６Ｂは取付軸７の先端に連結されている。そして、第一磁石６Ａと第二磁石６Ｂは、Ｓ極とＮ極が軸方向に向かい合うように配置されており、互いの磁力の届く範囲では、互いに引き合う。
【００３２】
緩衝器Ａ１では、第一磁石６Ａと第二磁石６Ｂによって生じる磁界の作用により、ロッド３、伸側バルブ２２及び減衰バルブ４３等のバルブ、並びに、ピストン２及びベース部材４等のバルブディスクが磁化されて、これらに吸着された異物でシールを傷付けたり、円滑な摺動が妨げられたり、バルブの開閉が妨げられたりしないようになっている。このようにするには、例えば、磁石を支持する部分を非磁性体にして、ロッド３、バルブ、及びバルブディスクに磁路が形成されるのを防止したり、ロッド３、バルブ、及びバルブディスクを非磁性体で形成したりする等の方法がある。
【００３３】
以下、本実施の形態に係る緩衝器Ａ１の作動について説明する。
【００３４】
ロッド３がシリンダ１から退出して緩衝器Ａ１が伸長する場合、ピストン２がシリンダ１内を図１中上方へ移動してロッド側室Ｌ１が縮小する。すると、ロッド側室Ｌ１の液体が伸側バルブ２２を押し開き、伸側通路２０を通ってピストン側室Ｌ２へ移動する。また、緩衝器Ａ１の伸長時には、シリンダ１から退出するロッド３の体積分、シリンダ内容積が増加する。このため、吸込バルブ４２が開き、シリンダ１から退出したロッド体積分の液体が吸込通路４０を通ってピストン側室Ｌ２へ供給される。
【００３５】
緩衝器Ａ１の伸長時において、伸側通路２０を通過する液体の流れに伸側バルブ２２で抵抗を与えるので、ロッド側室Ｌ１内の圧力が上昇し、当該圧力によって緩衝器Ａ１の伸長作動が妨げられる。つまり、緩衝器Ａ１が伸側の減衰力を発揮して伸長作動を抑制する。
【００３６】
また、図２に示すように、緩衝器Ａ１の伸長時には、ロッド側室Ｌ１からピストン側室Ｌ２へ液体が移動して、ピストン側室Ｌ２内の液体がブレード５０の上側から下側へ向けて流れ、スクリュー５が回転する。このようにスクリュー５が回転する場合、シャフト５１とロッド３との間に生じる摩擦等により抵抗が生じる。当該抵抗は、緩衝器Ａ１の伸長作動を妨げる方向に作用するので、スクリュー５が伸側バルブ２２とともに伸側の減衰力発生要素として機能する。
【００３７】
さらに、スクリュー５の回転によりピストン側室Ｌ２内の液体が撹拌されると、液体が回転して渦ができ、液体中に混入した異物がシリンダ１の中心部に集まる。当該シリンダ１の中心部には、第一磁石６Ａと第二磁石６Ｂが設けられているので、シリンダ１の中心部に集められた異物が第一磁石６Ａと第二磁石６Ｂに吸着されて、回収される。図２では、異物が回収される様子の理解を容易にするため、異物を誇張して記載している。
【００３８】
反対に、ロッド３がシリンダ１内に進入して緩衝器Ａ１が収縮する場合、ピストン２がシリンダ１内を図１中下方へ移動してピストン側室Ｌ２を縮小する。すると、ピストン側室Ｌ２の液体が圧側バルブ２３を開き、圧側通路２１を通ってロッド側室Ｌ１へ移動する。また、緩衝器Ａ１の収縮時には、シリンダ１に進入するロッド３の体積分、シリンダ内容積が減少する。このため、ピストン側室Ｌ２の液体が減衰バルブ４３を押し開き、シリンダ１に進入したロッド体積分の液体が減衰通路４１を通って液溜室Ｌ３へ排出される。
【００３９】
緩衝器Ａ１の収縮時には、圧側通路２１が開いてロッド側室Ｌ１とピストン側室Ｌ２の圧力が略同じになるが、減衰通路４１を通過する液体の流れに減衰バルブ４３で抵抗を与える。このため、シリンダ１内の圧力が上昇し、当該圧力によって緩衝器Ａ１の収縮作動が妨げられる。つまり、緩衝器Ａ１が圧側の減衰力を発揮して収縮作動を抑制する。
【００４０】
また、緩衝器Ａ１の収縮時には、ピストン側室Ｌ２からロッド側室Ｌ１へ液体が移動して、ピストン側室Ｌ２内の液体がブレード５０の図１中下側から上側へ向けて流れ、スクリュー５が伸長時と逆方向に回転する。このようにスクリュー５が逆方向に回転する場合にも抵抗が生じ、当該抵抗が緩衝器Ａ１の収縮作動を妨げる方向に作用する。このため、スクリュー５が減衰バルブ４３とともに圧側の減衰力発生要素として機能する。
【００４１】
また、前述のように、スクリュー５の回転によりピストン側室Ｌ２内の液体が撹拌されると、液体が回転して渦ができ、液体中に混入した異物がシリンダ１の中心部に集まる。よって、伸長時と同様に、シリンダ１の中心部に集められた異物が第一磁石６Ａと第二磁石６Ｂに吸着されて、回収される。
【００４２】
さらに、緩衝器Ａ１の収縮量が大きい状態では、リザーバＲ内の液体が増えてリザーバＲ内の圧力が上昇するので、ロッド反力（ロッド３をシリンダ１内から退出させる方向へ作用する力）が大きくなる。しかし、緩衝器Ａ１の収縮量が大きくなって第一磁石６Ａと第二磁石６Ｂが接近すると、これらが引き合う力が大きくなるので上記ロッド反力が低減される。
【００４３】
以下、本実施の形態に係る緩衝器Ａ１の作用効果について説明する。
【００４４】
緩衝器Ａ１は、ピストン２に形成されてロッド側室Ｌ１とピストン側室Ｌ２とを連通する伸側通路２０及び圧側通路２１を備える。また、スクリュー５は、ピストン側室Ｌ２内に配置される複数枚のブレード５０と、ロッド３に回転自在に取り付けられてブレード５０を支持するシャフト５１とを有する。そして、伸側通路２０及び圧側通路２１を液体が通過すると、ピストン側室Ｌ２に液体の流れが生じ、当該流れをブレード５０で受けてスクリュー５が回転する。
【００４５】
上記構成によれば、緩衝器Ａ１の伸縮時にスクリュー５が回転するとともに、当該スクリュー５が減衰力発生要素として機能する。よって、シリンダ１内の圧力を低く抑えたとしても大きい減衰力を得られるので、シリンダ１、及びシリンダ１内を液密に防ぐシール３１等にかかる負荷を軽減できる。また、緩衝器Ａ１のように、減衰力発生要素がリーフバルブを有して構成される場合には、リーフバルブの積層枚数を少なくできる。さらに、緩衝器Ａ１の伸縮によってピストン側室Ｌ２に生じる液体の流れを利用してスクリュー５を回転できるので、緩衝器Ａ１の構成を簡易にできる。
【００４６】
なお、緩衝器Ａ１では、伸長と圧縮とで作動が切換るとスクリュー５の回転方向が逆になるが、シャフト５１とロッド３との間にラチェットを設け、スクリュー５の回転を一方向に制限するとしてもよい。また、伸長作動と圧縮作動の両方で、スクリュー５が常に一方方向で回転するようにしてもよい。この場合、作動が切換ったとしても、緩衝器Ａ１が作動を続ける限りピストン側室Ｌ２内に渦を形成し続けられる。すると、渦によって一旦は集められた異物が渦の消失によりピストン側室Ｌ２内に再び拡散するのを防止できるので、異物の回収効率をさらに向上できる。さらに、スクリュー５にインペラ等を連結し、当該インペラ等でスクリュー５に回転する推力を与えてもよく、この場合には、渦を素早く形成して異物の回収効率を一層向上できる。
【００４７】
また、緩衝器Ａ１は、二つの磁石を有しており、一方の磁石がスクリュー５に連結される第一磁石６Ａであり、他方の磁石が収縮作動時に第一磁石６Ａに接近する第二磁石６Ｂである。そして、第一磁石６Ａと第二磁石６Ｂは、互いに引き合うように配置されている。このため、緩衝器Ａ１の収縮量が大きくなったとき、ロッド反力が過大になるのを抑制できる。よって、緩衝器Ａ１を車両に搭載した場合、車両の乗り心地を良好にできる。
【００４８】
なお、第一磁石６Ａと第二磁石６Ｂが互いに退け合う（反発し合う）ように配置されてもいてもよい。このような緩衝器では、緩衝器の最収縮時近傍の圧縮時の減衰力を大きくして、緩衝器の底付きを抑制できる。そして、このような変更は、スクリュー５を回転させるための構成によらず可能である。
【００４９】
また、緩衝器Ａ１では、第一磁石６Ａがスクリュー５を介してロッド３に取り付けられるとともに、第二磁石６Ｂが取付軸７とベース部材４を介してシリンダ１に取り付けられており、スクリュー５の図１中下側に第一磁石６Ａと第二磁石６Ｂが配置されている。このため、スクリュー５の回転で生じた渦により集められた異物が図１中上下何れの方向へ移動したとしても、第一磁石６Ａと第二磁石６Ｂの何れかに吸着される。よって、上記構成によれば、異物の回収効率をさらに向上できる。
【００５０】
なお、第一磁石６Ａと第二磁石６Ｂの取付位置は、上記に限らず適宜変更できる。そして、このような変更は、スクリュー５を回転させるための構成、及び、第一磁石６Ａと第二磁石６Ｂの向きによらず可能である。
【００５１】
また、緩衝器Ａ１において、スクリュー５がロッド３の軸回りに回転する。ロッド３は、シリンダ１と同軸に設けられ、シリンダ１の中心部に挿入されるので、上記構成によればスクリュー５の回転軸線Ｘがシリンダ１の中心部に配置される。そして、スクリュー５を回転すると、スクリュー５の回転軸線Ｘを中心に液体が回転して流れて渦ができ、渦の中心側へ異物が集まる。つまり、前述のように、スクリュー５の回転軸線Ｘがシリンダ１の中心部に設けられると、シリンダ１の中心部に異物を集められる。バルブにおいて異物の咬み込みが生じるのは開閉部であり、当該開閉部は一般的にバルブディスクの外周側に設けられている。よって、上記構成によれば、咬み込みが生じ易い部分から異物を遠ざけられるので、バルブが異物を噛み込むのを一層抑制できる。
【００５２】
なお、スクリュー５の回転軸線Ｘを、シリンダ１及びロッド３の中心を通る緩衝器Ａ１の軸心線からずれた位置に設けてもよい。また、スクリュー５の回転軸線Ｘが緩衝器Ａ１の軸心線に対して傾斜していてもよい。さらに、緩衝器Ａ１では、スクリュー５がロッド３に取り付けられているので、スクリュー５をロッド３の軸回りに回転させ易い。しかし、スクリュー５をナット３０又はピストン２に取付けるとしてもよい。そして、これらの変更は、スクリュー５を回転させるための構成、並びに、第一磁石６Ａと第二磁石６Ｂの向き及び配置によらず可能である。
【００５３】
また、緩衝器Ａ１は、シリンダ１内に移動可能に挿入されるピストン２と、図１中下側（一端側）がピストン２に連結されて上側（他端側）がシリンダ１外へ突出するロッド３とを備える。そして、液室Ｌは、ピストン２で図１中上側（ロッド側）のロッド側室Ｌ１と、図１中下側（反ロッド側）のピストン側室Ｌ２とに区画されている。また、スクリュー５でピストン側室Ｌ２を撹拌するとともに、第一磁石（磁石）６Ａ及び第二磁石（磁石）６Ｂがピストン側室Ｌ２内に設けられている。当該構成によれば、ロッド３が挿通されていないピストン側室Ｌ２内に渦を形成し、当該渦の中心側へ異物を集められる。そして、このように異物を集めたとしても、当該異物がロッド３に付着して、ロッド３の外周をシールするシール３１を傷付けることがない。
【００５４】
なお、スクリュー５の回転軸線Ｘの位置若しくは傾き、又は磁石の配置等により、スクリュー５によって集められた異物のロッド３への付着が抑制されていれば、スクリュー５でロッド側室Ｌ１を撹拌し、当該ロッド側室Ｌ１に磁石を設けてもよい。また、ロッドへの異物付着が抑制されていれば、ピストンの軸方向の両側からシリンダ外へロッドが突出する両ロッド型の緩衝器にスクリューと磁石を設けてもよい。そして、このような変更は、スクリュー５を回転させるための構成、第一磁石６Ａと第二磁石６Ｂの向き及び配置、並びに、スクリュー５の回転軸の位置及び傾きによらず可能である。
【００５５】
また、緩衝器Ａ１は、内部に液体が収容される液室Ｌが形成されるシリンダ１と、液室Ｌ内の液体を撹拌するスクリュー５と、液室Ｌ内に設けられ、スクリュー５の回転軸線Ｘ上に配置される第一磁石（磁石）６Ａ及び第二磁石（磁石）６Ｂとを備える。当該構成によれば、スクリュー５の回転により渦が生じ、当該渦の中心部に集まった異物を第一磁石６Ａ及び第二磁石６Ｂに吸着して回収できる。よって、液室Ｌ内の異物を速やかに回収できるとともに、一旦回収された異物が液室Ｌ内に再び拡散するのも抑制できる。このため、緩衝器Ａ１によれば、液体中に混入した異物を効率よく回収できる。
【００５６】
なお、緩衝器Ａ１は、第一磁石６Ａと第二磁石６Ｂの二つの磁石を備えているが、磁石の数は適宜変更できる。例えば、第一磁石６Ａと第二磁石６Ｂの一方の磁石を廃するとしてもよい。そして、このような変更は、スクリュー５を回転させるための構成、磁石の向き、及び、スクリュー５の回転軸の位置及び傾きによらず可能である。
【００５７】
＜第二の実施の形態＞
図３に示す本発明の第二の実施の形態に係る緩衝器Ａ２は、単筒型に設定され、第二磁石６Ｂがフリーピストン８に取り付けられている点で第一の実施の形態に係る緩衝器Ａ１と異なるが、これ以外の構成については同様である。よって、緩衝器Ａ１と異なる構成についてのみ以下に詳細に説明し、同様の構成については同一符号を付して詳細な説明を省略する。
【００５８】
緩衝器Ａ２のフリーピストン８は、シリンダ１内における反ロッド側（図３中下側）に摺動可能に挿入されている。そして、当該フリーピストン８は、シリンダ１内に気室Ｇ２を形成し、当該気室Ｇ２とピストン側室Ｌ２とを区画する。上記構成によれば、緩衝器Ａ２が伸縮し、シリンダ１内に出入りするロッド３の体積分シリンダ内容積が変化すると、フリーピストン８が図３中上下に移動して気室Ｇ２が膨縮する。このように、緩衝器Ａ２では、リザーバＲ（図１）に代えて気室Ｇ２を有し、当該気室Ｇ２でシリンダ１に出入りするロッド体積分の容積変化、及び温度変化による液体の体積変化を補償する。
【００５９】
また、緩衝器Ａ２では、フリーピストン８に第二磁石６Ｂが取り付けられており、緩衝器Ａ２の収縮作動時に第一磁石６Ａと第二磁石６Ｂが接近する。よって、これらが互いに引き合うように配置される場合には、緩衝器Ａ２の収縮量が大きくなったとき、ロッド反力が過大になるのを抑制できる。また、第一磁石６Ａと第二磁石６Ｂが互いに退け合うように配置される場合には、緩衝器Ａ２の底付きを抑制できる。
【００６０】
さらに、緩衝器Ａ２では、第一磁石６Ａがスクリュー５を介してロッド３に取り付けられるとともに、第二磁石６Ｂがフリーピストン８に取り付けられており、スクリュー５の図３中下側に第一磁石６Ａと第二磁石６Ｂが配置されている。このため、スクリュー５の回転で生じた渦により集められた異物が図３中上下何れの方向へ移動したとしても、第一磁石６Ａと第二磁石６Ｂの何れかに吸着される。よって、上記構成によれば、異物を一層効率的に回収できる。
【００６１】
また、緩衝器Ａ２では、第一磁石６Ａと第二磁石６Ｂによって生じる磁界の作用により、ロッド３、伸側バルブ２２等のバルブ、ピストン２、及びフリーピストン８が磁化されて、これらに吸着された異物によりシールを傷付けたり、円滑な摺動が妨げられたり、バルブの開閉が妨げられたりしないようになっている。
【００６２】
以上、本発明の好ましい実施の形態を詳細に説明したが、特許請求の範囲から逸脱しない限り、改造、変形、及び変更が可能である。
【符号の説明】
【００６３】
Ａ１，Ａ２・・・緩衝器、Ｌ・・・液室、Ｌ１・・・ロッド側室、Ｌ２・・・ピストン側室、Ｘ・・・スクリューの回転軸線、１・・・シリンダ、２・・・ピストン、３・・・ロッド、５・・・スクリュー、６Ａ・・・第一磁石（磁石）、６Ｂ・・・第二磁石（磁石）
【図１】
2018044655.tif 000003
【図２】
2018044655.tif 000004
【図３】
2018044655.tif 000005